(57)【特許請求の範囲】
【請求項１】
装置本体に対して回転部材を回転可能で着脱可能に支持する回転機構において、
装置本体または回転部材に両端部および中央部を固着された支点軸と、
前記装置本体または前記回転部材の、前記支点軸の一方の端部から他方の端部までの部分に対向する位置に形成された切欠き部と、
前記回転部材または前記装置本体に形成され、前記切欠き部に入り込み、前記支点軸の中央部から一方の端部までの部分を抱え込む第１の軸受部と、前記切欠き部に入り込み、前記支点軸の中央部から他方の端部までの部分を前記第１の軸受部とは反対側から抱え込む第２の軸受部とを有する軸受けとを有し、
前記第１と第２の軸受部がそれぞれ対応する支点軸の部分を抱え込んだ状態では支点軸は前記軸受けから軸方向と直交する方向に離脱できず、前記支点軸は、前記第１の軸受部または前記第２の軸受部が前記切欠き部の上端部または下端部に干渉することにより、前記軸方向の移動を阻止され、前記軸受けに対して所定の相対角度のとき支点軸の軸方向の一方向にのみ移動可能であり、該一方向に移動することにより支点軸は軸受けから離脱可能である回転支点構造を複数有することを特徴とする回転機構。
【請求項２】
前記支点軸の中央部は、リブを介して前記装置本体または前記回転部材に固着され、前記第１の軸受部または前記第２の軸受部は前記軸方向に前記リブに干渉する請求項１記載の回転機構。
【発明の詳細な説明】
【０００１】
【発明の属する技術分野】
本発明は、装置本体に対して回転部材を回転可能で着脱可能に支持する回転機構に関する。
【０００２】
【従来の技術】
従来、電子機器には開閉可能なカバーを有するものがあり、カバーの回転機構は一般に支点軸と軸受けによって構成されている。またカバーを開けた状態で保守作業等を行う場合、開けた状態のカバーが作業の邪魔になることがあるので、カバーを取り外し可能にしたものがある。
【０００３】
図１１は従来の回転機構を示すもので、この従来例ではカバー１に取付けられた支点軸２を、装置本体３に形成された軸受け４の孔５の中へ矢印Ａ方向から差し込むことによりカバー１を装置本体３に取り付けるようにしたものである。カバー１を取り外す場合は、カバー１を矢印Ａ方向と反対の方向に移動させることにより取り外すことができる。
【０００４】
また図１２に他の回転機構の従来例を示す。この従来例においては、カバー１に取付けられた支点軸６を、装置本体３に形成された軸受け７に開口部８から圧入して嵌め込むことによりカバー１を装置本体３に取り付けるようにしたものである。カバー１を取り外す場合は、支点軸６を開口部８を撓ませて軸受け７から引き抜くことにより取り外すことができる。
【０００５】
【発明が解決しようとする課題】
しかしながら上記従来の回転機構においては、図１１に示す例の場合、支点軸２が矢印Ｂ方向に力を受けるかあるいは軸受け４が矢印Ｃ方向に力を受けると、支点軸２の基部に応力が集中し、最悪の場合には支点軸２が破損するおそれがあった。破損を防止するためには支点軸２の径や素材を選定する必要があった。
【０００６】
また図１２に示す従来例の場合は、軸受け７の開口部８の撓みを利用して支点軸６の着脱を行うようになっているので、軸受け７を構成する部材の材料が限定される。また支点軸６が矢印Ｄ方向に力を受けるかあるいは軸受け７が矢印Ｅ方向に力を受けると、支点軸６が軸受け７から外れてしまうことがある。さらに支点軸６の着脱を頻繁に行うと、軸受け７の開口部８が変形して孔の径が大きくなり、支点軸６ががたつくという問題があった。
【０００７】
【課題を解決するための手段】
上記課題を解決するために本発明は、装置本体に対して回転部材を回転可能で着脱可能に支持する回転機構において、装置本体または回転部材に両端部および中央部を固着された支点軸と、前記装置本体または前記回転部材の、前記支点軸の一方の端部から他方の端部までの部分に対向する位置に形成された切欠き部と、前記回転部材または前記装置本体に形成され、前記切欠き部に入り込み、前記支点軸の中央部から一方の端部までの部分を抱え込む第１の軸受部と、前記切欠き部に入り込み、前記支点軸の中央部から他方の端部までの部分を前記第１の軸受部とは反対側から抱え込む第２の軸受部とを有する軸受けとを有し、前記第１と第２の軸受部がそれぞれ対応する支点軸の部分を抱え込んだ状態では支点軸は前記軸受けから軸方向と直交する方向に離脱できず、前記支点軸は、前記第１の軸受部または前記第２の軸受部が前記切欠き部の上端部または下端部に干渉することにより、前記軸方向の移動を阻止され、前記軸受けに対して所定の相対角度のとき支点軸の軸方向の一方向にのみ移動可能であり、該一方向に移動することにより支点軸は軸受けから離脱可能である回転支点構造を複数有することを特徴とするものである。
【０００８】
上記構成を有する本発明の回転機構によれば、支点軸の中央部を境にした両側の支点軸の部分が第1の軸受部と第2の軸受部に抱え込まれることにより支点軸は軸受けに対して回転可能で離脱できないように保持される。支点軸は両端部と中央部で装置本体または回転部材に固着されているので、支点軸に力がかかっても支点軸が破損したりしない。また支点軸は軸受けに対して所定の相対角度のときに支点軸の軸方向の一方向にのみ移動可能になっているので、支点軸を軸受けから取り外す場合は、この相対角度に合わせることにより容易に取り外すことができる。またこれにより軸受けを撓み可能な材料を用いなくてもよいので、軸受けの変形を防止でき、支点軸ががたつくことがなくなる。
【０００９】
【発明の実施の形態】
以下、本発明の実施の形態を図面にしたがって説明する。図１は本発明の実施の形態の回転機構を示す斜視図、図２は実施の形態の回転機構を具備した制御装置を示す外観図である。まず図２により実施の形態の回転機構が具備される装置について説明する。
【００１０】
図２において、制御装置１は各種の記憶装置２、３、４を内蔵し、フロントパネル５が開閉可能に取付けられている。記憶装置２、３、４を装置１内に取付けたりあるいは装置１から取り外したりする場合は、フロントパネル５を開け、さらに邪魔にならないようにフロントパネル５を装置１から取り外せるようになっている。フロントパネル５の回転支点部と装置１のフレーム１ａとの間に、回転支点構造１０が設けられている。この制御装置１には３箇所に回転支点構造１０が設けられ、これらの複数の回転支点構造１０で本実施の形態の回転機構が構成される。
【００１１】
図１において、回転支点構造１０は、フロントパネル５に取付けられた支点軸１１と装置１のフレーム１ａに取付けられた軸受け金具１２とから主に構成される。支点軸１１は円柱形状をしており、両端部１１ａ、１１ｂが半球形状になっている。この両端部１１ａ、１１ｂはフロントパネル５の端部５ａにおいてフロントパネル５の厚み方向に一部埋没するように固着されている。支点軸１１の中央部にはリブ１３が固着されている。
【００１２】
図３は支点軸を示す斜視図、図４は支点軸を示す図３のＨ−Ｈ断面矢視図である。図１、図３、図４において、リブ１３は板状部材で、先端部分で支点軸１１が固着され、リブ１３の側部はフロントパネル５に固着されている。したがって支点軸１１は、両端部１１ａ、１１ｂと中央部の３ヶ所でフロントパネル５に固着され、課題の項で述べた応力が３箇所に分散されるようになっている。フロントパネル５の支点軸１１に対向する位置には切欠き部１４が形成されている。切欠き部１４は支点軸１１の上端部１１ａと下端部１１ｂの間に形成されている。
【００１３】
図５は軸受け金具を示す斜視図、図６は図５のＩ方向から見た矢視図である。図１、図５、図６において、軸受け金具１２には上部軸受け１２ａと下部軸受け１２ｂが位置を違えて形成され、両軸受け１２ａ、１２ｂは互いに反対方向のくの字形を有し、両方のくの字形で支点軸１１を抱え込む形状となっている。両軸受け１２ａ、１２ｂの間隙Ｄは、図３に示すリブ１３の厚さＥよりも広くなっている。上部軸受け１２ａの先端部と下部軸受け１２ｂの先端部との間は開口部１５となっており、この開口部１５の幅Ｇ（図６に示す）は、図４に示す支点軸１１の径Ｎよりも小さく、支点軸１１がフロントパネル５に埋没している寸法Ｊよりは大きくなっている。軸受け金具１２には２つのネジ孔１６が形成されている。
【００１４】
図１において、軸受け金具１２は装置１のフレーム１ａにネジ１７により固定される。フロントパネル５が装置１に取付けられた状態では、軸受け金具１２の上部軸受け１２ａは支点軸１１の上部支点軸１１ｃに係合し、下部軸受け１２ｂは支点軸１１の下部支点軸１１ｄに係合している。
【００１５】
次に支点軸１１を軸受け金具１２に結合する動作を説明する。図７、図８は支点軸の軸受け金具への取付け動作を示す説明図、図９、図１０は支点軸の軸受け金具への取付け動作を示す断面図である。支点軸１１を軸受け金具１２に結合する場合には、まず図７に示すように、支点軸１１の下端部１１ｂが下部軸受け１２ｂの上端部１２ｂａより上方にくる高さにして、支点軸１１を軸受け金具１２に近づける。
【００１６】
このとき上部軸受け１２ａは下部支点軸１１ｄに対向し、下部軸受け１２ｂは下部支点軸１１ｄより下方のフロントパネル５に対向している。ここで軸受け金具１２とフロントパネル５とが或る所定の角度をなす場合に、即ち、図９に示すように、支点軸１１が上部軸受け１２ａの先端部１２ａｂに干渉することなく、かつフロントパネル５が下部軸受け１２ｂの先端部１２ｂｂに干渉しない位置になった場合に、フロントパネル５を矢印方向に移動させて軸受け金具１２にさらに接近させる。
【００１７】
そして、図１０に示すように、平面から見て、支点軸１１が上部軸受け１２ａと下部軸受け１２ｂのそれぞれの内側になるようにフロントパネル５を回転させる。この状態において、下部軸受け１２ｂの上端部１２ｂａはリブ１３と垂直方向にスライドすると干渉する位置にあり、支点軸１１とは垂直方向にスライドしても干渉しない位置にある。また上部軸受け１２ａの上端部１２ａａは切欠き部１４の上端部１４ａと垂直方向にスライドすると干渉する位置にあり、リブ１３とは垂直方向にスライドしても干渉しない位置にある。即ち、これはフロントパネル５を図８に示す矢印Ｆ方向に移動可能な状態である。
【００１８】
この状態から次にフロントパネル５を図８に示す矢印Ｆ方向に移動させる。これにより下部支点軸１１ｄは下部軸受け１２ｂの内側に入り、上部支点軸１１ｃは上部軸受け１２ａの内側に入る。そして下部軸受け１２ｂの上端部１２ｂａはリブ１３と干渉し、また上部軸受け１２ａの上端部１２ａａが切欠き部１４の上端部１４ａと干渉することにより、それ以上の移動が阻止される。この状態は図１に示す状態であり、この状態でフロントパネル５は軸受け１２ａ、１２ｂに対して回転可能となる。
【００１９】
この状態では、上部軸受け１２ａの先端部１２ａｂは切欠き部１４の上端部１４ａとリブ１３との間に位置し、下部軸受け１２ｂの先端部１２ｂｂはリブ１３と切欠き部１４の下端部１４ｂとの間に位置している。そしてこの状態では、上下部軸受け部１２ａ、１２ｂの開口部１５の幅Ｇが、支点軸１１の径Ｎよりも小さくなっているので、フロントパネル５が垂直状態を維持する限り、支点軸１１が上下部軸受け部１２ａ、１２ｂから抜け出ることはない。制御装置１には複数箇所に回転機構１０が設けられているので、フロントパネル５が斜めになることはなく、常に垂直状態が維持される。
【００２０】
フロントパネル５の回転により下部軸受け１２ｂが垂直方向にリブ１３と干渉しなくなる場合（フロントパネル５を大きく開いた場合）があるが、その場合には上部軸受け１２ａが切欠き部１４の上端部１４ａと垂直方向に干渉することになり、フロントパネル５が図８に示す矢印Ｆ方向に移動することはない。逆に、フロントパネル５の回転により上部軸受け１２ａが垂直方向に切欠き部１４の上端部１４ａと干渉しなくなる場合（フロントパネル５を閉じた場合）があるが、その場合には下部軸受け１２ｂがリブ１３と垂直方向に干渉することになり、フロントパネル５が図８に示す矢印Ｆ方向に移動することはない。
【００２１】
本実施の形態では、常に、下部軸受け１２ｂが垂直方向にリブ１３と干渉するか、もしくは上部軸受け１２ａが切欠き部１４の上端部１４ａと垂直方向に干渉するかのいずれかの状態になるように寸法設定されているので、フロントパネル５がどのような角度になってもフロントパネル５が装置本体１ａに対して下方へ下がることはない。
【００２２】
また上部軸受け１２ａがリブ１３と干渉するか、もしくは下部軸受け１２ｂが切欠き部１４の下端部１４ｂと干渉することにより、フロントパネル５が図８に示す矢印Ｇ方向に移動することはない。しかしながらフロントパネル５と軸受け金具１２との相対角度が図１０に示す角度になった場合には、即ち、上部軸受け１２ａが垂直方向にリブ１３と干渉せず、かつ下部軸受け１２ｂが切欠き部１４の下端部１４ｂと垂直方向に干渉しない状態になったとき、フロントパネル５は上方に移動可能である。フロントパネル５を取り外す場合は、上部軸受け１２ａが垂直方向にリブ１３と干渉せず、かつ下部軸受け１２ｂが切欠き部１４の下端部１４ｂと垂直方向に干渉しない状態にすることにより取り外し可能である。
【００２３】
上記実施の形態では支点軸１１が垂直方向になっている回転機構について説明したが、支点軸が水平方向になっている回転機構についても本発明は適用可能である。また上記実施の形態では、支点軸１１をフロントパネル５に取付け、軸受け金具１２を装置本体側へ設けた例で説明したが、逆に支点軸を装置本体側へ取付け、軸受け金具１２をフロントパネル側へ設けるようにしてもよい。さらに、上記実施の形態では本発明を制御装置に適用した場合について説明したが、回転支点を有し、回転部材を取り外す必要のある各種装置にも適用可能である。
【００２４】
【発明の効果】
以上詳細に説明したように本発明によれば、支点軸の中央部を境にした両側の支点軸の部分が第1の軸受部と第2の軸受部に抱え込まれることにより支点軸は軸受けに対して回転可能で離脱できないように保持される。支点軸は両端部と中央部で装置本体または回転部材に固着されているので、支点軸に力がかかっても支点軸が破損したりしない。また支点軸は軸受けに対して所定の相対角度のときに支点軸の軸方向の一方向にのみ移動可能になっているので、支点軸を軸受けから取り外す場合は、この相対角度に合わせることにより容易に取り外すことができる。またこれにより軸受けを撓み可能な材料を用いなくてもよいので、軸受けの変形を防止でき、支点軸ががたつくことがなくなる。
【図面の簡単な説明】
【図１】本発明の実施の形態の回転機構を示す斜視図である。
【図２】実施の形態の回転機構を具備した制御装置を示す外観図である。
【図３】支点軸を示す斜視図である。
【図４】支点軸を示す断面矢視図である。
【図５】軸受け金具を示す斜視図である。
【図６】図５のＩ方向から見た矢視図である。
【図７】支点軸の軸受け金具への取付け動作を示す説明図である。
【図８】支点軸の軸受け金具への取付け動作を示す説明図である。
【図９】支点軸の軸受け金具への取付け動作を示す断面図である。
【図１０】支点軸の軸受け金具への取付け動作を示す断面図である。
【図１１】従来の回転機構を示す斜視図である。
【図１２】従来の回転機構を示す斜視図である。
【符号の説明】
１  制御装置
５  フロントパネル
１０  回転支点構造
１１  支点軸
１１ｃ  上部支点軸
１１ｄ  下部支点軸
１２  軸受け金具
１２ａ  上部軸受け
１２ｂ  下部軸受け
１３  リブ
１４  切欠き部
【図１】
0004354620.tif 000002
【図２】
0004354620.tif 000003
【図３】
0004354620.tif 000004
【図４】
0004354620.tif 000005
【図５】
0004354620.tif 000006
【図６】
0004354620.tif 000007
【図７】
0004354620.tif 000008
【図８】
0004354620.tif 000009
【図９】
0004354620.tif 000010
【図１０】
0004354620.tif 000011
【図１１】
0004354620.tif 000012
【図１２】
0004354620.tif 000013